(57)【特許請求の範囲】
【請求項１】
バッテリポストにバッテリ端子を介して接続され、可溶体収容部と該可溶体収容部の範囲内にある水抜き孔を有したヒューズユニットを覆うカバー本体を備え、このカバー本体の側壁の内面に前記ヒューズユニットの側面に形成された係止部に係止されるロック用凸部を加工抜き孔を介して一体形成した保護カバーにおいて、
前記ロック用凸部及び前記加工抜き孔を、前記可溶体収容部に相対向する範囲内に一体形成したことを特徴とする保護カバー。
【請求項２】
請求項１記載の保護カバーであって、
前記ロック用凸部は、前記係止部に係止される角部と、該ロック用凸部を該係止部に案内する傾斜面部を有していることを特徴とする保護カバー。
【発明の詳細な説明】
【技術分野】
【０００１】
本発明は、バッテリポストにバッテリ端子を介して接続されたヒューズユニットを覆う保護カバーに関する。
【背景技術】
【０００２】
この種の保護カバーとして、図５〜図７に示すものがある。
【０００３】
この保護カバー１は、図５〜図７に示すように、バッテリポスト３１にバッテリ端子３２を介して接続されるヒューズユニット２０を覆うカバー本体２を備えている。このカバー本体２は、合成樹脂によりヒューズユニット２０及びバッテリ端子３２を上方から覆うことができるように底壁側が開口した箱形に形成されている。
【０００４】
また、カバー本体２の両側壁４，４の各内面には、ヒューズユニット２０の側面２１ａの下端側の凹部２１ｃに係止されるロック用凸部５を加工抜き孔６を介して一体形成してある。
【０００５】
そして、ヒューズユニット２０及びバッテリ端子３２を上方より覆った状態で、カバー本体１２のロック用凸部５がヒューズユニット２０の側面２１ａの凹部２１ｃに係止されることにより、カバー本体２はヒューズユニット２０に固定される。
【先行技術文献】
【特許文献】
【０００６】
【特許文献１】特開２００２−３２９４９２号公報
【発明の概要】
【発明が解決しようとする課題】
【０００７】
しかしながら、前記従来の保護カバー１では、カバー本体２の上壁３の両側にロック用凸部５を樹脂成形する際に必要不可欠な加工抜き孔６が形成されるため、この加工抜き孔６より浸入した水がヒューズユニット２０に溜まると、電線等の腐食や回路ショート等の故障、トラブルが発生する要因となった。
【０００８】
そこで、本発明は、前記した課題を解決すべくなされたものであり、水溜まりによる電線等の腐食や回路ショート等の故障、トラブルを簡単かつ確実に防止することができる保護カバーを提供することを目的とする。
【課題を解決するための手段】
【０００９】
請求項１の発明は、バッテリポストにバッテリ端子を介して接続され、可溶体収容部と該可溶体収容部の範囲内にある水抜き孔を有したヒューズユニットを覆うカバー本体を備え、このカバー本体の側壁の内面に前記ヒューズユニットの側面に形成された係止部に係止されるロック用凸部を加工抜き孔を介して一体形成した保護カバーにおいて、前記ロック用凸部及び前記加工抜き孔を、前記可溶体収容部に相対向する範囲内に一体形成したことを特徴とする。
【００１０】
請求項２の発明は、請求項１記載の保護カバーであって、前記ロック用凸部は、前記係止部に係止される角部と、該ロック用凸部を該係止部に案内する傾斜面部を有していることを特徴とする。
【発明の効果】
【００１２】
以上説明したように、請求項１の発明によれば、ロック用凸部及び加工抜き孔を、可溶体収容部に相対向する範囲内に一体形成したことにより、可溶体収容部の内部に水が溜まることを確実に防止することができ、水溜まりによる電線等の腐食や回路ショート等の故障、トラブルを簡単かつ確実に防止することができる。
【００１３】
請求項２の発明によれば、ロック用凸部は、係止部に係止される角部と、ロック用凸部を係止部に案内する傾斜面部を有していることにより、カバー本体のロック用凸部をヒューズユニットの側面の係止部にスムーズに係止させて、カバー本体をヒューズユニットに簡単かつ確実に固定することができる。
【図面の簡単な説明】
【００１５】
【図１】本発明の一実施形態の保護カバーとヒューズユニットを示す斜視図である。
【図２】上記保護カバーの断面図である。
【図３】上記ヒューズユニットの平面図である。
【図４】（ａ）は上記保護カバーでヒューズユニットを覆った状態を示す平面図、（ｂ）は同状態の側面図である。
【図５】従来の保護カバーとヒューズユニットを示す斜視図である。
【図６】上記従来の保護カバーの断面図である。
【図７】（ａ）は上記従来の保護カバーでヒューズユニットを覆った状態を示す平面図、（ｂ）は同状態の側面図である。
【発明を実施するための形態】
【００１６】
以下、本発明の一実施形態を図面に基づいて説明する。
【００１７】
図１は本発明の一実施形態の保護カバーとヒューズユニットを示す斜視図、図２は同保護カバーの断面図、図３は同ヒューズユニットの平面図、図４（ａ）は同保護カバーでヒューズユニットを覆った状態を示す平面図、図４（ｂ）は同状態の側面図である。
【００１８】
図１、図２及び図４（ａ），（ｂ）に示すように、保護カバー１０は、車載されるバッテリ３０のバッテリポスト３１にバッテリ端子３２を介して接続されるヒューズユニット２０を覆う合成樹脂製のカバー本体１１を備えている。このカバー本体１１は、耐熱性の塩化ビニールその他のプラスチック等の合成樹脂材料を構成材料とし、ヒューズユニット２０及びバッテリ端子３２を上方から覆うことができるように底壁側が開口した箱形に形成されている。
【００１９】
図１及び図２に示すように、カバー本体１１は、前側に段差部を有し、中央後部寄りにバッテリポスト３１の陽極を意味するプラス表示された略矩形状の上壁１２と、この上壁１２の両側端にて略９０゜に屈曲する両側壁１３，１３と、上壁１２の前後端にて略９０゜に屈曲する前壁１４及び後壁１５とを備えている。このカバー本体１１の側壁１３の内面の下側には、カバー本体１１をヒューズユニット２０に着脱自在に固定するためのロック用凸部１６が加工抜き孔１７を介して一体突出形成されている。このロック用凸部１６は、後述するヒューズユニット２０の水抜き孔２２ｂを有した可溶体収容部２２の前端側に相対向する位置に加工抜き孔１７を介して一体突出形成されている。このロック用凸部１６の幅は、加工抜き孔１７の幅よりも若干大きく形成されている。また、加工抜き孔１７と水抜き孔２２ｂは上下方向において略同じ位置に配置されている。
【００２０】
さらに、ロック用凸部１６は、カバー本体１１の上壁１２側に台形ピン状の角部１６ａが一体突出形成されていると共に、カバー本体１１の側壁１３の下側に角部１６ａをヒューズユニット２０のヒューズハウジング２１の側面２１ａの下端縁部２１ｂに案内する面取り加工した傾斜面部１６ｂが一体形成されている。
【００２１】
そして、図４（ｂ）に示すように、ヒューズユニット２０を覆ったカバー本体１１の閉状態において、ロック用凸部１６の角部１６ａは、ヒューズユニット２０のヒューズハウジング２１の側面２１ａの下端縁部（係止部）２１ｂに係止されてヒューズユニット２０に着脱自在に固定されるようになっている。尚、カバー本体１１の上壁１２の後端中央には、開閉操作用の鍔部１８を一体突出形成してある。
【００２２】
図３及び図４（ａ），（ｂ）に示すように、ヒューズユニット２０は、バッテリ３０と電源供給用の電線（図示省略）とを接続するものであり、バッテリ端子３２に導通接続される第１の端子板部２５ａと出力側電装回路（図示省略）に導通接続される第２の端子板部２５ｂを有したバスバー２５と、可溶体（ヒューズ）２６を収容する樹脂製のヒューズハウジング２１と、このヒューズハウジング２１の可溶体収容部２２に着脱自在に取り付けられる透明樹脂製のカバー２９とを、備えている。
【００２３】
図３に示すように、ヒューズハウジング２１の可溶体収容部２２には、可溶体２６を収容してある。この可溶体２６は、第１の端子板部２５ａに接触して導通状態にされる第１の接触部２７ａと第２の端子板部２５ｂに接触して導通状態にされる第２の接触部２７ｂとを両側に有した導通板部２７と、この導通板部２７の中央の幅狭部２７ｃ上に溶着される金属チップ２８とを備えている。尚、可溶体収容部２２の上面側の開口部２２ａ内に透明樹脂製のカバー２９が着脱自在に取り付けられるようになっている。また、可溶体収容部２２の底面の周辺には空きスペースがあるため、可溶体収容部２２の底面にヒューズハウジング２１の側面２１ａに連通する水抜き孔２２ｂを形成してある。
【００２４】
図４（ｂ）に示すように、バッテリ端子３２は、バスバー２５の第１の端子板部２５ａにナット３５を介して締め付け接続されるボルト部３３と、バッテリ３０のバッテリポスト３１にナット３６を介して締め付け接続される環状部３４とを備えている。
【００２５】
以上実施形態の保護カバー１０によれば、図４（ｂ）に示すように、バッテリ３０のバッテリポスト３１にバッテリ端子３２を介して接続されるヒューズユニット２０及びバッテリ端子３２をカバー本体１１で上方より覆い、このカバー本体１１のロック用凸部１６の角部１６ａをヒューズユニット２０のヒューズハウジング２１の側面２１ａの下端縁部２１ｂに係止して、カバー本体１１をヒューズユニット２０に固定する。
【００２６】
この場合、カバー本体１１の上壁１２の両側壁１３，１３の各内面に突出したロック用凸部１６に相対向する位置には、ロック用凸部１６を樹脂で一体成形する際に加工抜き孔１７が形成され、この加工抜き孔１７から水がヒューズユニット２０のヒューズハウジング２１の可溶体収容部２２の内部に浸入するが、可溶体収容部２２の底面にはヒューズハウジング２１の側面２１ａに連通する水抜き孔２２ｂが形成されているため、この水抜き孔２２ｂより加工抜き孔１７から浸入した水を外部へスムーズに排出することができる。これにより、ヒューズユニット２０の内部に水が溜まることがなく、水溜まりによる電源供給用の電線等の電線の腐食やバスバー２５と可溶体２６の導通板部２７の腐食及び回路ショート等の故障、トラブルを防止することができる。
【００２７】
このように、カバー本体１１のロック用凸部１６を、水抜き孔２２ｂを有した可溶体収容部２２に相対向する位置に加工抜き孔１７を介して一体形成したことにより、可溶体収容部２２に水が溜まることを確実に防止することができ、水溜まりによる電線等の腐食や回路ショート等の故障、トラブルを簡単かつ確実に防止することができる。
【００２８】
また、カバー本体１１のロック用凸部１６は、ヒューズユニット２０の側面２１ａの下端縁部２１ｂに係止される角部１６ａと、ロック用凸部１６の角部１６ａをヒューズユニット２０の側面２１ａの下端縁部２１ｂに案内する傾斜面部１６ｂを有していることにより、カバー本体１１のロック用凸部１６をヒューズユニット２０の側面２１ａの下端縁部２１ｂにスムーズに係止させて、カバー本体１１をヒューズユニット２０に簡単かつ確実に固定することができる。
【００２９】
尚、前記実施形態によれば、カバー本体の側壁の内面のロック用凸部と加工抜き孔を、ヒューズユニットのヒューズハウジングの可溶体収容部の前端側に相対向する位置に形成したが、ロック用凸部と加工抜き孔の形成位置は、ヒューズハウジングの可溶体収容部に相対向する範囲内であれば良い。
【００３０】
また、前記実施形態によれば、加工抜き孔と水抜き孔を上下方向において同じ位置に配置したが、左右方向に多少ずれるように形成しても良い。
【符号の説明】
【００３１】
１０  保護カバー
１１  カバー本体
１３  側壁
１６  ロック用凸部
１６ａ  角部
１６ｂ  傾斜面部
１７  加工抜き孔
２０  ヒューズユニット
２１ａ  側面
２１ｂ  下端縁部（係止部）
２２  可溶体収容部
２２ｂ  水抜き孔
３１  バッテリポスト
３２  バッテリ端子
【図１】
0006522929.tif 000002
【図２】
0006522929.tif 000003
【図３】
0006522929.tif 000004
【図４】
0006522929.tif 000005
【図５】
0006522929.tif 000006
【図６】
0006522929.tif 000007
【図７】
0006522929.tif 000008